(57)【要約】【課題】表示電極の間で発生する維持放電効率を向上させ，低電圧駆動による消費電力及び電磁波の発生を減少させるプラズマディスプレイパネルを提供する。【解決手段】第１基板１１及び第２基板１２と，隔壁１３と，蛍光体層１５と，アドレス電極１６と，上記第２基板で形成され，さらに少なくとも一対の突出電極を有する第１表示電極及び第２表示電極１７，１８と，上記隔壁の上に，上記第１表示電極及び上記第２表示電極から，上記隔壁に沿って伸長され，その伸長された端部から上記放電セルの内部に向かって突出された第１点火電極及び第２点火電極２０，２１と，上記第１表示電極と上記第２表示電極を被覆して形成され，上記第１表示電極と上記第２表示電極の間に第１開口部Ｇ１を形成した第１誘電層１９と，第１開口部内に突出された上記第１点火電極と上記第２点火電極を被覆して形成された第２誘電層２２を含む。【選択図】図３
2006261113.tif 000002
【特許請求の範囲】
【請求項１】
互いに対向配置された第１基板及び第２基板と；
前記第１基板と前記第２基板の間の空間で放電セルを区画する隔壁と；
前記放電セル内に形成された蛍光体層と；
前記第１基板で第１方向に沿って形成されたアドレス電極と；
前記第２基板で前記第１方向と交差する第２方向に沿って形成され，さらに，前記各放電セルに，対応する少なくとも一対の突出電極を有する第１表示電極及び第２表示電極と；
前記隔壁の上に，前記第１表示電極及び前記第２表示電極から，前記隔壁に沿って伸長され，当該伸長された端部から前記放電セルの内部に向かって突出された第１点火電極及び第２点火電極と；
前記第２基板で前記第１表示電極と前記第２表示電極を被覆して形成され，前記放電セルごとに対応する前記第１表示電極と前記第２表示電極の間に第１開口部を形成した第１誘電層と；
前記第１誘電層の第１開口部内に突出された前記第１点火電極と前記第２点火電極を被覆して形成された第２誘電層を含むことを特徴とする，プラズマディスプレイパネル。
【請求項２】
前記第１点火電極と前記第２点火電極を被覆する前記第２誘電層と，前記第１誘電層との間に第２開口部を有することを特徴とする，請求項１に記載のプラズマディスプレイパネル。
【請求項３】
前記第２誘電層は，前記第１誘電層の前記第１開口部内に突出した前記第１点火電極と前記第２点火電極をそれぞれ個別に被覆して形成されたことを特徴とする，請求項１に記載のプラズマディスプレイパネル。
【請求項４】
前記第２誘電層は，前記第１点火電極と前記第２点火電極との間に第２開口部を有することを特徴とする，請求項３に記載のプラズマディスプレイパネル。
【請求項５】
前記第２誘電層と前記第１誘電層との間に第３開口部を有することを特徴とする，請求項３または４に記載のプラズマディスプレイパネル。
【請求項６】
前記第１点火電極及び前記第２点火電極は，各々前記第１表示電極及び前記第２表示電極から伸長され，放電セル内部に向かって分岐され，前記第２方向に沿って，突出されたことを特徴とする，請求項１〜５のいずれかに記載のプラズマディスプレイパネル。
【発明の詳細な説明】
【技術分野】
【０００１】
本発明は，プラズマディスプレイパネルに関し，駆動電圧を減少させて，発光効率を向上させるためのプラズマディスプレイパネルに関する。
【背景技術】
【０００２】
一般に，プラズマディスプレイパネル（以下，ＰＤＰという）は，ガス放電によって得られるプラズマから放射される真空紫外線を利用し，蛍光体を励起させることによって発生する赤（Ｒ），緑（Ｇ），青（Ｂ）色の可視光で映像を実現するディスプレイパネルである。
【０００３】
交流型ＰＤＰでは，背面基板の上には，一方向に沿ってアドレス電極が形成され，誘電層がアドレス電極を覆っている。また，隔壁が誘電層の上の各アドレス電極の間に配置されて帯状に形成され，隔壁の間に赤（Ｒ），緑（Ｇ），青（Ｂ）色の蛍光体層が形成される。
【０００４】
そして，背面基板に対向する前面基板の一面には，アドレス電極と交差する方向に沿って，一対の透明電極とバス電極で構成される表示電極が形成され，この表示電極を誘電層とＭｇＯ保護膜が順に覆っている。
【０００５】
背面基板上のアドレス電極と前面基板上の表示電極が交差する点が，放電セルを形成する部分となる。このＰＤＰの内部には，数百万個以上の単位放電セルが行列状に配列されている。
【０００６】
このような交流型ＰＤＰの放電セルを同時に駆動させるために，記憶特性が利用される。これをより詳細に説明すると，一対の表示電極を構成する維持電極と走査電極の間に放電を起こすためには，所定の電圧以上の電位差が必要であり，この境界となる電圧を放電開始電圧（Ｖｆ）という。
【０００７】
この時，アドレス電圧を走査電極とアドレス電極の間に印加すると，放電が開始されて放電セル内にプラズマが形成され，このプラズマの電子とイオンは，反対極性を有する電極側に移動して電流が流れる。
【０００８】
一方，交流型ＰＤＰの各電極には，誘電層が塗布されていて，移動した空間電荷等の大部分は反対極性を有する誘電層の上に蓄積される。その結果，走査電極とアドレス電極の間の実効空間電位は，実際に印加されたアドレス電圧（Ｖａ）より小さくなって，放電は弱くなり，アドレス放電は消滅する。
【０００９】
この時，維持電極には相対的に少量の電子が蓄積されて，走査電極には相対的に多量のイオンが蓄積される。維持電極及び走査電極を被覆している誘電層の上に蓄積された電荷を壁電荷（Ｑｗ）とし，これら壁電荷によって維持電極及び走査電極の間に形成される内部電圧を壁電圧（Ｖｗ）という。
【００１０】
そして，続けて，維持電極と走査電極の間に一定の電圧（Ｖｓ：放電維持電圧）を印加する場合，放電維持電圧（Ｖｓ）と壁電圧（Ｖｗ）を合わせた値（Ｖｓ＋Ｖｗ）が放電開始電圧（Ｖｆ）より高くなると，放電セル内で放電が起こるようになる。この時，発生する真空紫外線が蛍光体を励起させて，透明な前面基板を通して可視光が放出される。
【発明の開示】
【発明が解決しようとする課題】
【００１１】
しかし，前面基板で維持電極と走査電極を覆っている誘電層が均一の厚さで形成される場合，ＰＤＰの製造は容易であるが，維持電極と走査電極の間で起こる放電は，面放電形態で起きるため，放電経路が長くなって放電効率が落ちるようになる。
【００１２】
従って，この維持電極と走査電極の間では，より高い放電維持電圧（Ｖｓ）が要求される。その結果，ＰＤＰの駆動に必要な放電電圧を高めねばならず，より多くの電力を消費する問題点と，高電圧駆動による電磁波障害が発生する問題点があった。
【００１３】
また，誘電層は，前面基板上で維持電極と走査電極の間を全て均一の厚さで被覆していることから，発生した可視光が前面基板を通して透過されることにより，可視光の透過効率を低下させる。そのため，パネルの輝度及び発光効率を低下させる問題点があった。
【００１４】
そこで，本発明は，上記問題に鑑みてなされたものであり，本発明の目的とするところは，表示電極相互間で発生する維持放電の効率を向上させて低電圧駆動を可能にし，消費電力及び電磁波発生を低電圧駆動によって減少させることができ，発生した可視光の透過率を高めることによって，パネルの発光効率を向上させることが可能な，新規かつ改良されたプラズマディスプレイパネルを提供することにある。
【課題を解決するための手段】
【００１５】
上記課題を解決するために，本発明のある観点によれば，互いに対向配置された第１基板及び第２基板と，第１基板と第２基板の間の空間で放電セルを区画する隔壁と，放電セル内に形成された蛍光体層と，第１基板で第１方向に沿って形成されたアドレス電極と，第２基板で第１方向と交差する第２方向に沿って形成され，さらに，各放電セルに，対応する少なくとも一対の突出電極を有する第１表示電極及び第２表示電極と，隔壁の上に，第１表示電極及び第２表示電極から，隔壁に沿って伸長され，当該伸長された端部から放電セルの内部に向かって突出された第１点火電極及び第２点火電極と，第２基板で第１表示電極と第２表示電極を被覆して形成され，放電セルごとに対応する第１表示電極と第２表示電極の間に第１開口部を形成した第１誘電層と，第１誘電層の第１開口部内に突出された第１点火電極と第２点火電極を被覆して形成された第２誘電層を含むことを特徴とする，プラズマディスプレイパネルが提供される。
【００１６】
上記第１点火電極と第２点火電極を被覆する第２誘電層と，第１誘電層との間に第２開口部を有してもよい。
【００１７】
上記第２誘電層は，第１誘電層の第１開口部内に突出した第１点火電極と第２点火電極をそれぞれ個別に被覆して形成されてもよい。
【００１８】
上記第２誘電層は，第１点火電極と第２点火電極との間に第２開口部を有してもよい。
【００１９】
上記第２誘電層と第１誘電層との間に第３開口部を有してもよい。
【００２０】
上記第１点火電極及び第２点火電極は，各々第１表示電極及び第２表示電極から伸長され，放電セル内部に向かって分岐され，第２方向に沿って，突出されてもよい。
【発明の効果】
【００２１】
以上説明したように本発明によれば，表示電極相互間で発生する維持放電の効率を向上させて低電圧駆動を可能にし，消費電力及び電磁波発生を低電圧駆動によって減少させることができ，発生した可視光の透過率を高めることによって，パネルの発光効率を向上させることができる。
【発明を実施するための最良の形態】
【００２２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２３】
（第１の実施形態）
まず，本発明の第１の実施形態にかかるプラズマディスプレイパネル（以下，ＰＤＰという。）について説明する。図１は，本発明の第１の実施形態にかかるＰＤＰを概略的に示した部分断面分解斜視図である。図１を参照して説明すると，本実施形態にかかるＰＤＰは，第１基板（以下，背面基板１１という。）と第２基板（以下，前面基板１２という。）が対向配置され，この背面基板１１と前面基板１２の間には，複数の隔壁１３が配置され，プラズマ放電を発生させるように，複数の放電セル１４を区画して形成される。放電セル１４には，赤（Ｒ），緑（Ｇ），青（Ｂ）色の蛍光体層１５が形成される。
【００２４】
背面基板１１には，前面基板１２に対向する側の面に，第１方向（図１のｙ軸方向）に沿ってアドレス電極１６が形成される。このアドレス電極１６は，所定の間隔をおいて並んで形成される。
【００２５】
前面基板１２には，第２方向（図１のｘ軸方向）に沿って形成され，さらに，第１方向に沿って，放電セル１４に対応するように配置される表示電極，例えば，第１，第２表示電極１７，１８が形成される。
【００２６】
背面基板１１と前面基板１２の間に形成された隔壁１３は，放電セル１４の集合を行列構造に形成する。また，隔壁１３は，第１，第２隔壁部材１３ａ，１３ｂによって形成される。
【００２７】
第１隔壁部材１３ａは，互いに隣接する他の第１隔壁部材１３ａと平行配置される。第２隔壁部材１３ｂは，この第１隔壁部材１３ａと互いに交差しながら，他の第２隔壁部材１３ｂと互いに平行配置される。これによって，第１，第２隔壁部材１３ａ，１３ｂは，プラズマ放電に必要な放電セル１４を区画する。
【００２８】
図２は，本発明の第１の実施形態にかかるＰＤＰの電極配列と誘電層の開口部（誘電層が無い部分）パターンを示した部分平面図であり，図３は，図２のＩＩＩ−ＩＩＩ線に沿って切断した部分の断面図である。
【００２９】
図面を参照して説明すると，第１表示電極１７と第２表示電極１８は，それぞれ第２方向（図１のｘ軸方向）に沿って形成されるバス電極１７ｂ，１８ｂと，バス電極１７ｂ，１８ｂから各放電セル１４の中心に向かって伸長された拡大電極１７ａ，１８ａとを含む。このとき，バス電極１７ｂ，１８ｂは，放電セル１４の両側の周縁付近で各々形成されてもよい。また，拡大電極１７ａ，１８ａは，放電セル１４で一対が互いに対向形成される。
【００３０】
拡大電極１７ａ，１８ａは，各放電セル１４内部でプラズマ放電を起こす役割を果たす。また，拡大電極１７ａ，１８ａは，開口率確保のために，例えば，透明導電材料であるインジウム−錫酸化物（ＩＴＯ）で構成されることができる。バス電極１７ｂ，１８ｂは，拡大電極１７ａ，１８ａの高い抵抗を補償して通電性を確保するため，電気伝導性が優れた金属材料で構成されることができる。
【００３１】
前面基板１２には，第１及び第２表示電極１７，１８を覆って保護する第１誘電層１９が形成される。第１誘電層１９には，それぞれの放電セル１４の中心に向かって伸長された拡大電極１７ａ，１８ａの間に，所定の間隔をあけて第１開口部Ｇ１が形成される。
【００３２】
第１誘電層１９に設けられた第１開口部Ｇ１では，第１表示電極１７と第２表示電極１８の対向放電が誘導されて放電開始作用が行われる。第１開口部Ｇ１の外郭から放電セル１４の周縁までの第１誘電層１９の前面部では，面放電が誘導されながら拡散される。
【００３３】
従って，第１表示電極１７と第２表示電極１８の間の第１開口部Ｇ１では，実質的に対向放電が行われているため，放電開始電圧（Ｖｆ）を低くすることができる。また，第１誘電層１９の第１開口部Ｇ１付近で短い放電経路が形成され，当該部分に強い電界が印加されるので，放電効率を向上させることができる。
【００３４】
さらに，第１点火電極２０及び第２点火電極２１が，放電セルごとに対応する第１表示電極１７及び第２表示電極１８のバス電極１７ｂ，１８ｂから，第２隔壁部材１３ｂ上に第２隔壁部材１３ｂに沿って伸長されて形成され，さらに，その伸長された端部から，第１表示電極１７及び第２表示電極１８の拡大電極１７ａ，１８ａの間に形成された第１開口部Ｇ１に向かって突出されて形成される。
【００３５】
アドレス電極１６と第２表示電極１８の間のアドレス放電以降，第１，第２表示電極１７，１８の間で行われる維持放電が本格化される前に，アドレス放電を維持するように，第１及び第２点火電極２０，２１は初期維持放電を起こす。その結果，低電圧駆動によって消費電力を減少させ，さらに電磁波の発生を減少させる。
【００３６】
放電セル１４内部に突き出された第１点火電極２０及び第２点火電極２１の端部は，第１誘電層１９の第１開口部Ｇ１内に露出されるため，独立的して第１点火電極２０及び第２点火電極２１を被覆するように第２誘電層２２が形成される。
【００３７】
第２誘電層２２は，前面基板１２に形成され，第１誘電層１９との間に第２開口部Ｇ２を形成するように形成される。
【００３８】
第１誘電層１９と第２誘電層２２の間に形成される第２開口部Ｇ２は，放電セル１４内で発生した可視光を前面基板１２に透過させる開口部の役割を果たすことができる。その結果，パネルの輝度を高め，発光効率を向上させることができる。
【００３９】
上述したとおり，第１開口部Ｇ１では，放電初期において第１表示電極１７と第２表示電極１８との間に対向放電が発生する。この対向放電が放電セル１４全体に拡散するためには，第１誘電層１９が蛍光体層１５と対向する面（前面部）に沿って，放電が連続的に進行する必要がある。また，このときの第１誘電層１９の両側の前面部の間で起きる放電は，面放電である。一般的に，対向放電は，比較的低い電圧でも放電を開始することが可能であるため，面放電に比べて有利である。しかしながら，従来の面放電型ＰＤＰ構造では対向放電を起こすことができない。そこで，本実施形態では，放電の開始は，対向放電構造で起きるようにし，放電の拡散は，面放電構造で起きるようにすることによって，放電効率を向上させることができる。
【００４０】
（第２の実施形態）
図４は，本発明の第２の実施形態にかかるＰＤＰの電極配列と誘電層の開口部パターンを示した部分平面図であり，図５は，図４のＶ−Ｖ線に沿って切断された部分の断面図である。
【００４１】
これらの図面を参照して説明すると，第２誘電層３２は，第１，第２点火電極２０，２１を保護するように被覆しながら，第１誘電層１９との間に第２開口部Ｇ２を形成する。さらに，第２誘電層３２は，第１点火電極２０と第２点火電極２１の間に第３開口部Ｇ３を有するように形成される。
【００４２】
このとき，第２誘電層３２は，第１，第２点火電極２０，２１を形成する電導性物質の外部に絶縁性物質をそれぞれ塗布して，個別に誘電層が形成されるとすることができる。
【００４３】
第１点火電極２０と第２点火電極２１の間に形成された第３開口部Ｇ３でも同様に，対向放電が起きる。その結果，第１点火電極２０と第２点火電極２１の間で発生する初期維持放電が起きるので，以前より低い電圧で放電が起きるようにすることができる。
【００４４】
以上，説明したように，本実施形態にかかるＰＤＰによると，第１，第２表示電極１７，１８の間に第１，第２点火電極２０，２１を形成し，第１，第２表示電極１７，１８及び第１，第２点火電極２０，２１の間に各々開口部Ｇ１，Ｇ２が形成されるように，誘電層を個別に分離させる。その結果，それぞれの電極相互間の放電の経路を短縮させるので，放電効率を向上させ，低電圧駆動が可能になり，これによって消費電力の減少及び電磁波の発生を防止することができる。
【００４５】
また，放電セルで発生した可視光が，前記第１，第２表示電極１７，１８及び第１，第２点火電極２０，２１の間に形成される各々開口部Ｇ１，Ｇ２を通過するため，前面基板に透過する透過率を高めることができ，ＰＤＰの発光効率を向上させることができる効果がある。
【００４６】
本実施形態の低電圧駆動によって，追加消費電力を減少させ，高電圧駆動時に発生する電磁波障害の発生を防止する効果がある。
【００４７】
また，第１点火電極２０と第２点火電極２１の間に形成された第３開口部Ｇ３を通して，さらに多量の可視光を前面パネル１２に透過させて，パネルの輝度及び発光効率を向上させる効果がある。
【００４８】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４９】
本発明は，プラズマディスプレイに適用可能である。
【図面の簡単な説明】
【００５０】
【図１】本発明の第１の実施形態にかかるＰＤＰを概略的に示した部分断面分解斜視図である。
【図２】本発明の第１の実施形態にかかるＰＤＰの電極配列と誘電層の開口部パターンを示した部分平面図である。
【図３】図２のＩＩＩ−ＩＩＩ線に沿って切断された部分の断面図である。
【図４】本発明の第２の実施形態にかかるＰＤＰの電極配列と誘電層の開口部パターンを示した部分平面図である。
【図５】図４のＶ−Ｖ線に沿って切断された部分の断面図である。
【符号の説明】
【００５１】
１１      背面基板
１２      前面基板
１３      隔壁
１３ａ，１３ｂ      隔壁部材
１４      放電セル
１５      蛍光体層
１６      アドレス電極
１７，１８      第１，第２表示電極
１７ａ，１８ａ      拡大電極
１７ｂ，１８ｂ      バス電極
１９，２２      第１，第２誘電層
２０，２１      第１，第２点火電極
Ｇ１，Ｇ２，Ｇ３      開口部
【図１】
2006261113.tif 000003
【図２】
2006261113.tif 000004
【図３】
2006261113.tif 000005
【図４】
2006261113.tif 000006
【図５】
2006261113.tif 000007